(57)【要約】      （修正有）【課題】消火水管の水圧低下を防止しながら、火災の初期段階や小規模な火災時に水道水を使用して人力で消火活動できるようにしたスプリンクラー装置を提供する。【解決手段】水道管１の水道メーター１ａより下流の位置に室内の水廻り設備に生活用水を供給する生活水管２と部屋に設けたスプリンクラーヘッド５に消火用水を供給する消火水管３を分岐して設ける。その分岐点に水道管１との連通を生活水管２側又は消火水管３側に切り替え且つ平時は生活水管２側に連通している電動三方弁４を設ける。また、各階の消火水管３に非常用水栓６を設けてリール６ａで巻き取り可能な開閉ノズル付きの散水管６ｂを接続し、部屋に熱又は煙を感知する感知器１２を設置し、その感知器１２が熱又は煙を感知すると電動三方弁４の消火水管３側を開いて生活水管２側を閉じるように制御する防災弁ユニット１７を設ける。【選択図】図２
0003171206.tif 000002
【実用新案登録請求の範囲】
【請求項１】
一階又は複数階の住宅の水道管の水道メーターより下流の位置に室内の水廻り設備に生活用水を供給する生活水管と部屋に設けたスプリンクラーヘッドに消火用水を供給する消火水管を分岐して設け、その分岐点に水道管との連通を生活水管側又は消火水管側に切り替え且つ平時は生活水管側に連通している電動切換弁を設け、各階の消火水管の途中又は終端の位置に非常用水栓を設け、部屋に熱又は煙を感知する感知器を設置し、その感知器が熱又は煙を感知すると電動切換弁の消火水管側を開いて生活水管側を閉じるように制御する制御装置を設けた、スプリンクラー装置。
【請求項２】
リールで巻き取り可能な開閉ノズル付きの散水管を非常用水栓に接続した、請求項１記載のスプリンクラー装置。
【請求項３】
消火水管のスプリンクラーヘッドより上流の位置に水抜き管を分岐して設け、その分岐点に消火水管との連通を水抜き管側又は電動切換弁側に切り替える手動切換弁を設けた、請求項１又は２記載のスプリンクラー装置。
【請求項４】
電動切換弁の消火水管側に連通させる時間を一定時間継続させるタイマーを設けた、請求項１〜３いずれか記載のスプリンクラー装置。
【考案の詳細な説明】
【技術分野】
【０００１】
本考案は、住宅に使用されるスプリンクラー装置に関する。
【背景技術】
【０００２】
従来、住宅用のスプリンクラー装置としては、例えば特許文献１，２に開示されているものがある。この技術は、室内の水廻り設備に生活用水を供給する生活水管の途中に部屋のスプリンクラーヘッドに消火用水を供給する消火水管を分岐して設け、その消火水管の途中に常閉の電動切換弁を設け、部屋に設置した感知器が熱又は煙を感知すると電動切換弁を開くように制御する制御装置を設けたことを特徴としている。
【０００３】
しかしながら、前記いずれの技術では、水廻り設備の使用中にスプリンクラー装置が作動すると、消火水管の水圧が低下してスプリンクラーヘッドの散水が弱まることがあった。この水圧低下を防止するために、スプリンクラーヘッドの散水中は生活水管を遮断することが考えられる。
【０００４】
ところで、火災の初期段階や小規模な火災ではスプリンクラーヘッドの散水を待つことなく、人力で放水して早期に消火できることがある。この場合、生活水管を遮断していると水廻り設備から水は出ないから、人力による消火活動はできない。また、感知器が熱又は煙を感知しても、スプリンクラーヘッドは一定温度まで上昇しないとノズルが開放して散水しない構造であるから、その間に火災が拡大することもある。
【先行技術文献】
【特許文献】
【０００５】
【特許文献１】特開２００９−４５４１７号公報
【特許文献１】特開２００９−１００８２４号公報
【考案の概要】
【考案が解決しようとする課題】
【０００６】
本考案が解決しようとする課題は、従来のこれらの問題点を解消し、消火水管の水圧低下を防止しながら、火災の初期段階や小規模な火災時に水道水を使用して人力で消火活動できるようにすることにある。
【課題を解決するための手段】
【０００７】
かかる課題を解決した本考案の構成は、
１）  一階又は複数階の住宅の水道管の水道メーターより下流の位置に室内の水廻り設備に生活用水を供給する生活水管と部屋に設けたスプリンクラーヘッドに消火用水を供給する消火水管を分岐して設け、その分岐点に水道管との連通を生活水管側又は消火水管側に切り替え且つ平時は生活水管側に連通している電動切換弁を設け、各階の消火水管の途中又は終端の位置に非常用水栓を設け、部屋に熱又は煙を感知する感知器を設置し、その感知器が熱又は煙を感知すると電動切換弁の消火水管側を開いて生活水管側を閉じるように制御する制御装置を設けた、スプリンクラー装置
２）  リールで巻き取り可能な開閉ノズル付きの散水管を非常用水栓に接続した、前記１）記載のスプリンクラー装置
３）  消火水管のスプリンクラーヘッドより上流の位置に水抜き管を分岐して設け、その分岐点に消火水管との連通を水抜き管側又は電動切換弁側に切り替える手動切換弁を設けた、前記１）又は２）記載のスプリンクラー装置
４）  電動切換弁の消火水管側に連通させる時間を一定時間継続させるタイマーを設けた、前記１）〜３）いずれか記載のスプリンクラー装置
にある。
【考案の効果】
【０００８】
本考案の前記１）記載の構成によれば、平時は制御装置が電動切換弁の消火水管側を閉じて生活水管側を開き、水道水が生活水管に供給される。感知器が部屋の熱又は煙を感知すると、制御装置が電動切換弁の消火水管側を開いて生活水管側を閉じ、水道水が消火管を経由してスプリンクラーヘッドに供給され、一定温度に上昇すると散水する。
【０００９】
このスプリンクラーヘッドが散水中、生活水管は遮断されているから、全水圧及び全水量の水道水が消火管に流れて強力に散水され、水圧不足の心配がない。また、感知器の感知後は消火水管に水道水が直ぐに充水するから、火災の初期段階や小規模の火災時の場合、これに気づいた居住者が非常用水栓から水道水を出して放水でき、人力で消火活動できる。
【００１０】
本考案の前記２）記載の構成によれば、非常用水栓を開いて散水管をリールから火元付近まで引き出し、開閉ノズルを開いて放水することで、火元に直接放水しやすくなり、効率的に消火活動できる。
【００１１】
本考案の前記３）記載の構成によれば、スプリンクラー装置の使用後に手動切換弁で水抜き管側に連通させると、消火水管に残った消火用水が逆流して水抜き管で排水される。よって、未使用時の消火水管は常に空となり、長期間使用しなくても消火水管の腐蝕や劣化を防止できる。
【００１２】
本考案の前記４）記載の構成によれば、タイマーで散水時間を一定時間（例えば、消防車が火災現場に到着するまでに要する平均時間である１５〜２５分）に設定すると、タイマーの作動後は制御装置が電動切換弁の消火水管側を閉じて生活水管側を開き、火災の状況に係わらず散水が自動的に停止し、過剰な散水による損害を軽減できる。
【図面の簡単な説明】
【００１３】
【図１】実施例のスプリンクラー装置の設置状態を示す説明図である。
【図２】実施例のスプリンクラー装置の説明図である。
【図３】実施例のスプリンクラー装置の使用状態を示す説明図である。
【図４】実施例のスプリンクラー装置の使用状態を示す説明図である。
【考案を実施するための形態】
【００１４】
本考案の非常用水栓としては、バルブや蛇口等があり、その非常用水栓には散水管を接続したり、バケツを常備しておいてもよい。散水管としては、ホースのみのものや、ホースの先端に開閉ノズルを備えたものがある。非常用水栓を設ける場所としては、例えば２階建ての戸建住宅の場合、１階では玄関と台所の途中位置、２階では部屋の出入り口付近など、火元となりやすい位置から離れた場所に且つ容易に識別できるように設けられる。
【００１５】
以下、本考案を実施するための形態を実施例と図面に基づいて具体的に説明する。
【実施例】
【００１６】
図１〜４に示す実施例は、２階建ての戸建住宅に本考案のスプリンクラー装置を設置した例である。図１は実施例のスプリンクラー装置の設置状態を示す説明図、図２は実施例のスプリンクラー装置の説明図、図３，４は実施例のスプリンクラー装置の使用状態を示す説明図である。
【００１７】
図中、１は水道管、１ａは水道メーター、２は生活水管、３は消火水管、４は電動三方弁（電動切換弁）、５はスプリンクラーヘッド、６は非常用水栓、６ａはリール、６ｂは散水管、７は水抜き管、８は手動三方弁（手動切換弁）、９は第１手動弁、１０は第２手動弁、１１はバイパス管、１２は感知器、１３は受信機、１４は警報ブザー、１５はタイマー、１６はバッテリー、１７は防災弁ユニット（制御装置）、Ｒは部屋である。
【００１８】
本実施例のスプリンクラー装置は、図１，２に示すように、水道管１の水道メーター１ａより下流の位置に生活水管２と消火水管３を分岐して設け、その分岐点に電動三方弁４を設け、消火水管３は各階の天井裏に配管して天井のスプリンクラーヘッド５と接続している。各消火水管３には非常用水栓６を設け、その非常用水栓６にリール６ａで巻き取り可能な開閉ノズル付きの散水管６ｂを接続している。
【００１９】
消火水管３のスプリンクラーヘッド５より上流の位置には水抜き管７を分岐して設け、その分岐点に消火水管３との連通を水抜き管７側又は電動三方弁４側に切り替える手動三方弁８を設けている。電動三方弁４と水道メーター１ａの間には元栓である常開の第１手動弁９を設け、電動三方弁４の上流位置と手動三方弁８の下流位置の間には常閉の第２手動弁１０を備えたバイパス管１１を配管している。
【００２０】
各階の部屋Ｒの天井には熱又は煙を感知する感知器１２を設置し、１階の壁面には各感知器１２の感知を無線で受信する受信機１３を設置し、各階の部屋Ｒの壁面には警報ブザー１４を設置している。室外には電動三方弁４・手動三方弁８・第１手動弁９・第２手動弁１０・バイパス管１１・タイマー１５・バッテリー１６を収容した防災弁ユニット１７を設置している。
【００２１】
その防災弁ユニット１７は、受信機１３の受信を感知すると警報ブザー１４を発音させ、電動三方弁４の消火水管３側を開いて生活水管２側を閉じ、タイマー１５で設定した時間（この例では２０分とする）を経過すると警報ブザー１４を停止させ、消火水管３側を閉じて生活水管２側を開く制御と、平時は消火水管３側を閉じて生活水管２側を開く制御を備えている。
【００２２】
本実施例では、図３（ａ）に示すように、平時は電動三方弁４の消火水管３側が閉じて生活水管２側が開き、室内の浴槽・台所・洗面所・トイレ等の水廻り設備に水道水が供給される。手動三方弁８は、予め電動三方弁４側に切り替えて消火水管３と連通させ、第２手動弁１０は閉じておく。
【００２３】
感知器１２が６０℃程の熱又は煙を感知すると、受信機１３がこれを受信して警報ブザー１４が発音し、図３（ｂ）に示すように電動三方弁４の消火水管３側が開いて生活水管２側が閉じ、水道水が消火水管３に流れてスプリンクラーヘッド５まで充水する。天井面の温度が７２℃以上に上昇してスプリンクラーヘッド５のノズル（図示せず）を閉塞している半田（図示せず）が溶解すると、ノズルが開放されて散水する。
【００２４】
ここで、生活水管２は電動三方弁４で遮断されているから、全水圧及び全水量の水道水が消火水管３に流れてスプリンクラーヘッド５から強力に散水され、水圧不足の心配がない。しかも、感知器１２の感知後は消火水管３に水道水が直ぐに充水するから、火災の初期段階や小規模の火災時の場合、警報ブザー１４の発音で気づいた居住者が非常用水栓６を開いて散水管６ｂで火元に直接放水でき、人力で消火活動できる。また、その非常用水栓６は各階に１箇所のみ設けているから、スプリンクラーヘッド５の散水中に水道水を出しても消火水管３の水圧は低下しにくい。
【００２５】
散水が２０分間継続すると警報ブザー１４が停止し、電動三方弁４の消火水管３側が閉じて生活水管２側が開き、散水が停止する。人力で消火活動してスプリンクラーヘッド５が散水する前に早期に消火された場合、散水しない状態が２０分間継続して警報ブザー１４が停止し、電動三方弁４の消火水管３側が閉じて生活水管２側が開く。
【００２６】
その後は、図３（ｃ）に示すように、手動三方弁８を水抜き管７側に切り替えて消火水管３と連通させると、消火水管３内に残った水道水が逆流して水抜き管７で排水され、消火水管３は空となる。残った水道水が全て排水されると、手動三方弁８を電動三方弁４側に切り替えて消火水管３と連通させる。よって、次回まで長期間使用しなくても、消火水管３の腐蝕や劣化を防止できる。
【００２７】
何らかの原因で電動三方弁４や受信機１３が作動しなかったり、バッテリー１６が切れている場合は、図４（ａ）に示すように第２手動弁１０を開くと、水道水がバイパス管１１を経由して消火水管３に直接流れ、スプリンクラーヘッド５から散水させることができる。この場合も非常用水栓６を開いて散水管６ｂで消火活動できるが、生活水管２の水道水が水廻り設備で使用されていると、消火水管３の水圧はやや低下することがある。
【００２８】
手動三方弁８は、排水だけでなく装置の点検用としても使用される。図４（ｂ）に示すように、手動三方弁８を水抜き管７側に切り替えて消火水管３と連通させた状態で感知器１２に熱を感知させると、正常の場合は警報ブザー１４が発音するとともに電動三方弁４の消火水管３側が開いて生活水管２側が閉じ、水道水が水抜き管７にタイマー１５で設定した時間流れ続ける。水抜き管７から水道水が流れてこない場合は動作不良ということになる。このようにして、スプリンクラーヘッド５から実際に散水させることなく点検することもできる。
【産業上の利用可能性】
【００２９】
本考案の技術は、戸建住宅・集合住宅等の一般住宅向けに利用される。
【符号の説明】
【００３０】
１    水道管
１ａ  水道メーター
２    生活水管
３    消火水管
４    電動三方弁（電動切換弁）
５    スプリンクラーヘッド
６    非常用水栓
６ａ  リール
６ｂ  散水管
７    水抜き管
８    手動三方弁（手動切換弁）
９    第１手動弁
１０  第２手動弁
１１  バイパス管
１２  感知器
１３  受信機
１４  警報ブザー
１５  タイマー
１６  バッテリー
１７  防災弁ユニット（制御装置）
Ｒ    部屋
【図１】
0003171206.tif 000003
【図２】
0003171206.tif 000004
【図３】
0003171206.tif 000005
【図４】
0003171206.tif 000006